(57)【要約】【目的】従来のガードフェンスは、枠体同士が溶接されていることから、破損した部位のみを交換することが困難な場合が多い。そこで、本発明は一部が破損しても、当該破損部位のみを容易に交換可能なガードフェンスを提供することを目的とする。【構成】断面が略半円状の板材の側壁に、断面が略半円状の板材を垂直方向に設けて構成した連結部材と、連結部材を対向させた状体で緊締する緊締部材と、連結部材を対向させた状体で形成される空洞に貫挿可能であると共に、板状の突起である取り付け片を備えた枠体と、枠体に対して着脱自在なメッシュ部材又は／及び遮蔽版とで構成した。【選択図】図１
2018096057.tif 000002
【特許請求の範囲】
【請求項１】
断面が略半円状の板材の側壁に、断面が略半円状の板材を垂直方向に設けて構成した連結部材と、
連結部材を対向させた状体で緊締する緊締部材と、
連結部材を対向させた状体で形成される空洞に貫挿可能であると共に、板状の突起である取り付け片を備えた枠体と、
枠体に対して着脱自在なメッシュ部材又は／及び遮蔽版と、
により成るガードフェンス。
【発明の詳細な説明】
【技術分野】
【０００１】
この発明は、例えば工事現場等を周囲から仕切るため、現場に設置されるガードフェンスに関する。
【背景技術】
【０００２】
一般に工事現場などでは、その現場への立ち入り防止や目隠しを目的として、周囲をガードフェンスで囲むことが行われている。
【０００３】
この種のガードフェンスとしては、枠体の全体に金網のようなメッシュ部材を取り付けたもの、枠体の上段にメッシュ部材を取り付け、枠体の下段に遮蔽板を取り付けたもの、枠体の全体に遮蔽板を取り付けたもの等が存在する。
【０００４】
特許文献１には、枠体の高さ方向略中段に補強材を設けて、枠体を上段と下段に分け、これら上段、下段にメッシュ部材あるいは遮蔽板を着脱自在に取り付けたガードフェンスが開示されている。
【先行技術文献】
【特許文献】
【０００５】
【特許文献１】特開平１１−１０７５３７号公報
【発明の概要】
【発明が解決しようとする課題】
【０００６】
図５は従来の一般的なガードフェンスを示すものである。このガードフェンス１は、一対の基台２，２に垂設された一対の縦枠体３，３の間に、上横枠体４、中横枠体５及び下横枠体６とで、直方体に組み立ててある。尚、前記枠体は、金属製のパイプ、板材等で形成してある。
【０００７】
そして、前記上横枠体４と中横枠体５及び一対の縦枠体３,３とで形成される四角状の平面空間には、取付体７に金網等より成るメッシュ部材８の外枠８ａが取り付けてある。又、前記中横枠体５と下横枠体６及び一対の縦枠体３,３とで形成される四角状の平面空間には、取付体９にネジ等の取付具９ａを介して、金属製の遮蔽板１０が取り付けてある。
【０００８】
上記の通り構成されるガードフェンス１は、縦枠体３と上横枠体４、縦枠体３と中横枠体５、縦枠体３と下横枠体６との各接合部位は溶接により固着されている。図６でいえば、縦枠体３と上横枠体４の接合部位Ａにおいて溶接されるものである。しかも、取付体７も縦枠体３に溶接されている。
【０００９】
ガードフェンスは、一つの工事現場で使用された後、次の工事現場へトラックで搬送されるというふうに、様々な現場で繰り返し使用されるのが通常である。しかも風雨に晒され、また、多くの通行人と接するものである。かような使用態様により、ガードフェンスは一部が破損する事態が頻発する。
【００１０】
ところが、上述のとおり各枠体同士が溶接されていることから、破損した部位のみを交換することが困難な場合が多い。そこで本発明は一部が破損しても、当該破損部位を容易に交換可能なガードフェンスを提供することを目的とする。
【課題を解決するための手段】
【００１１】
上記の目的を達成する本考案の構成は以下の通りである。
【００１２】
断面が略半円状の板材の側壁に、断面が略半円状の板材を垂直方向に設けて構成した連結部材と、
連結部材を対向させた状体で緊締する緊締部材と、
連結部材を対向させた状体で形成される空洞に貫挿可能であると共に、板状の突起である取り付け片を備えた枠体と、
枠体に対して着脱自在なメッシュ部材又は／及び遮蔽版と、
により成るガードフェンス。
【発明の効果】
【００１３】
上記のように構成される本発明が、如何に作用して課題を解決するかを図面を参照しながら概説する。
【００１４】
図４は連結部材２０と緊締部材３０を示すものである。連結部材２０は断面が略半円状の板材２１の側壁２１ａに、断面が略半円状の板材２２を垂直方向に設けて構成されるものである。かかる形状の連結部材２０を一対対向させ、かかる状態で形成される空洞部２３に枠体４０を貫挿させたうえで、緊締部材３０で固定した状態を示すのが図２である。
【００１５】
このような形態で、枠体４０を構成する縦枠体４１と横枠体４２とを連結部材２０により固定することから、緊締部材３０を外せば対向する一対の連結部材２０,２０は別固体となり、つまりは縦枠体４１と横枠体４２との連結も開放される。かように枠体４０はその構成部材である縦枠体４０のみ、あるいは横枠体４２のみを取り外し、交換することが可能となる。
【００１６】
また、本発明によれば枠体４０に対して、メッシュ部材８や遮蔽板１０が着脱自在に構成してある。具体的には、図２に示すように、枠体４０に設けた取り付け片４３にボルト等の緊締部材４４を用いて、メッシュ部材８の外枠８ａや、遮蔽板１０の端部を固定するものである。この際、図示されるように平座金４４ａを介在させれば、より効果的に固定可能である。そして、緊締部材４４を外せばメッシュ部材８や遮蔽板１０を枠体４０から取り外すことが可能となる。
【００１７】
このようにメッシュ部材８や遮蔽板１０のみを枠体４０から取り外すことが可能となり、容易に交換が可能となるのである。
【００１８】
以上の通り本発明によれば、ガードフェンスの一部が破損しても、当該破損部位は容易に交換可能なものとなる。
【図面の簡単な説明】
【００１９】
【図１】本考案の正面図
【図２】同、要部拡大斜視図
【図３】Ａ  連結部材の正面図        Ｂ  同、平面図        Ｃ  同、左側面図
【図４】連結部材の説明図
【図５】従来例の正面図
【図６】同、要部拡大斜視図
【発明を実施するための形態】
【００２０】
以下、好ましい発明の一実施形態につき、図面を参照しながら概説する。なお、本発明の実施の形態は、下記の実施形態に何ら限定されることはなく、本発明の技術的範囲に属する限り種々の形態を採りうる。 
【００２１】
図１に示すように本発明に係るガードフェンス５０は、上下方向に延びる２本の縦枠体４１と左右方向に延びる３本の横枠体４２とが連結部材２０で連結され、これによりメッシュ部材８や遮蔽板１０を収容するための枠が形成されるものである。
【００２２】
２本の縦枠体４１はガードフェンス５０の支柱であり、各縦枠体４１の下端部は石台６０に差し込まれ支持されるものである。
【００２３】
３本の横枠体４２は、２本の縦枠体４１間において上下方向に間隔を隔てて水平に配置される。
【００２４】
下部と中間に配置された２本の横枠体４２と２本の縦枠体４１との内側に形成される矩形状の空間を覆うように、枠体４０に遮蔽板１０が取り付けられている。遮蔽板１０は金属板、合成樹脂板または木材板などを利用できる。
【００２５】
上部と中間に配置された２本の横枠体４２と２本の縦枠体４１との内側に形成される矩形状の空間を覆うように、枠体４０にメッシュ部材８が取り付けられている。ここでは、メッシュ部材８は、金属線を菱形に編み合わせた菱形金網である。
【００２６】
ただし、メッシュ部材８は、金属線を亀甲状に編み合わせた亀甲金網、金属線を編目の接点で溶接した溶接金網、金属板を金型で打抜いたパンチングメタル、金属板を冷間切延法により菱形、亀甲状の網目を形成したエキスパンドメタルなどであってもよい。また、メッシュ部材８は、金属線を正方形、長方形に編み合わせたものであってもよい。
【００２７】
さらに、メッシュ部材８は、金属線にナイロン、ポリプロピレンなどの樹脂を被膜した樹脂被膜金属線、あるいはナイロン、ポリプロピレンなどからなる樹脂線を編み合わせたものであってもよい。
【００２８】
縦枠体４１及び横枠体４２は、鋼管、ステンレス鋼管、アルミニウム管などの金属製の丸管、角管であることが好ましいが、鋼、ステンレス鋼、アルミニウムなどの金属板を曲げ加工又はプレス加工して丸管状又は角管状にしたものであってもよい。縦枠体４１及び横枠体４２は、鋼、ステンレス鋼、アルミニウムなどの金属を押出成形したものであってもよい。
【００２９】
ここでは、縦枠体４１及び横枠体４２は共に丸鋼管であり、縦枠体４１の直径は横枠体４２の直径よりも大きいか同等である。また、縦枠体４１及び横枠体４２の端部には緊締部材３０を貫挿させるための孔部（不図示）が設けられている。
【００３０】
枠体４０を構成する縦枠体４１及び横枠体４２には、取り付け片４３が複数設けられている。取り付け片４３は図２に示されるように薄い板材であり、縦枠体４１、横枠体４２に熔接されるものである。メッシュ部材８や遮蔽板１０は、取り付け片４３にボルト等の緊締部材４４を用いて着脱自在に取り付けるものである。
【００３１】
尚、図１においては上部にメッシュ部材８が、下部に遮蔽板１０が取り付けられているが、これは一例であり、例えば上部下部共にメッシュ部材８あるいは遮蔽板１０を取り付けても構わない。
【００３２】
連結部材２０は図３に示すようにＤ−Ｄ線における断面が略半円状の板材２１の側壁２１ａに、Ｅ−Ｅ線の断面が略半円状の板材２２を垂直方向に溶接して構成した。図中山形の溶接記号で示される部分が溶接部位である。
【００３３】
板材２１の側壁２１ａの中央部には、緊締部材３０を貫挿するための孔部２１ｂが設けてある。板材２２の側壁２２ａの中央部には、緊締部材３０を貫挿するための孔部２２ｂが設けてある。緊締部材３０はボルト及びナットなどを利用可能である。
【符号の説明】
【００３４】
８・・メッシュ部材      １０・・遮蔽板      ２０・・連結部材
２１・・板材            ２１ａ・・側壁      ２２・・板材
３０・・緊締部材        ４０・・枠体        ４３・・取り付け片
【図１】
2018096057.tif 000003
【図２】
2018096057.tif 000004
【図３】
2018096057.tif 000005
【図４】
2018096057.tif 000006
【図５】
2018096057.tif 000007
【図６】
2018096057.tif 000008